(57)【特許請求の範囲】
【請求項１】
背板部と、
該背板部の上部から上方に延びて前方に回り込む左肩ベルト及び右肩ベルトと、
該背板部の下部から両側方に延びる腰ベルトと、
前記左肩ベルトの前下部と前記腰ベルトの左後部とを接続する左サスペンダーバンドと、
前記右肩ベルトの前下部と前記腰ベルトの右後部とを接続する右サスペンダーバンドと、
前記背板部の上部から左下方に延びて前方に回り込み、前記腰ベルトの左端部と連結される左側部ベルトと、
前記背板部の上部から右下方に延びて前方に回り込み、前記腰ベルトの右端部と連結される右側部ベルトと、
連結された前記腰ベルトの前記左端部及び前記左側部ベルトと、連結された前記腰ベルトの前記右端部及び前記右側部ベルトと、を係止する係止部材と、
前記腰ベルトの前記右後部に後支持バンドを介して支持されるとともに、連結された前記腰ベルトの前記右端部及び前記右側部ベルトに前支持バンドを介して支持され、作業機を支持する支持部材が設けられたパッド部材と、を備える、作業機用支持ベルト。
【請求項２】
請求項１に記載の作業機用支持ベルトであって、
前記腰ベルトの前記左端部と前記左側部ベルトとは、左連結バンドを介して連結され、
前記腰ベルトの前記右端部と前記右側部ベルトとは、右連結バンドを介して連結され、
前記左連結バンドには、前記係止部材の左係止部が設けられ、
前記右連結バンドには、第１長さ調整機構を介して前記前支持バンドが連結され、
前記前支持バンドには、前記係止部材の前記左係止部に係合する右係止部が設けられている、作業機用支持ベルト。
【請求項３】
請求項２に記載の作業機用支持ベルトであって、
前記前支持バンドには、前記右係止部が第２長さ調整機構を介して連結されている、作業機用支持ベルト。
【請求項４】
請求項２又は３に記載の作業機用支持ベルトであって、
前記前支持バンドの先端部には、クリップが設けられている、作業機用支持ベルト。
【請求項５】
請求項１〜４のいずれか１項に記載の作業機用支持ベルトであって、
前記作業機用支持ベルトは、前記背板部と前記腰ベルトの前記右後部とを連結する補強バンドをさらに備え、
前記補強バンドと前記後支持バンドとが略一直線上に配置されている、作業機用支持ベルト。
【請求項６】
請求項１〜５のいずれか１項に記載の作業機用支持ベルトであって、
前記背板部、前記左肩ベルト、前記右肩ベルト、前記腰ベルト、前記左側部ベルト、及び前記右側部ベルトは、クッション材を有する、作業機用支持ベルト。
【請求項７】
請求項１〜６のいずれか１項に記載の作業機用支持ベルトであって、
前記左側部ベルトには、前記左サスペンダーバンドが挿通する左通し孔が設けられ、
前記右側部ベルトには、前記右サスペンダーバンドが挿通する右通し孔が設けられている、作業機用支持ベルト。
【請求項８】
請求項１〜７のいずれか１項に記載の作業機用支持ベルトであって、
前記作業機用支持ベルトは、前記背板部の上方に、前記左肩ベルトと前記右肩ベルトとを連結するループバンドをさらに備える、作業機用支持ベルト。
【請求項９】
請求項１〜８のいずれか１項に記載の作業機用支持ベルトであって、
前記背板部は、内部に硬質樹脂部材からなる補強部材を有する、作業機用支持ベルト。
【請求項１０】
請求項２に記載の作業機用支持ベルトであって、
前記腰ベルトの前記右後部には、第３長さ調整機構が設けられ、
該第３長さ調整機構に前記後支持バンドが連結されている、作業機用支持ベルト。
【請求項１１】
請求項１〜１０のいずれか１項に記載の作業機用支持ベルトであって、
前記左肩ベルト及び前記右肩ベルトの前記前下部には、それぞれ長さ調整機構が設けられ、
前記左サスペンダーバンドは、前記長さ調整機構を介して前記左肩ベルトの前記前下部に連結され、
前記右サスペンダーバンドは、前記長さ調整機構を介して前記右肩ベルトの前記前下部に連結されている、作業機用支持ベルト。
【請求項１２】
請求項１１に記載の作業機用支持ベルトであって、
前記左サスペンダーバンド及び前記右サスペンダーバンドの先端部には、それぞれクリップが設けられている、作業機用支持ベルト。
【請求項１３】
請求項２〜４のいずれか１項に記載の作業機用支持ベルトであって、
前記左側部ベルトには、前記左サスペンダーバンドが挿通する左通し孔が設けられ、
前記右側部ベルトには、前記右サスペンダーバンドが挿通する右通し孔が設けられ、
前記左通し孔は、前記左側部ベルトに設けられたバンド部材によって構成され、
前記右通し孔は、前記右連結バンドによって構成されている、作業機用支持ベルト。
【請求項１４】
請求項１〜１３のいずれか１項に記載の作業機用支持ベルトであって、
前記作業機用支持ベルトは、前記左肩ベルトの前記前下部と前記右肩ベルトの前記前下部とを連結する胸ベルトをさらに備える、作業機用支持ベルト。
【請求項１５】
請求項１４に記載の作業機用支持ベルトであって、
前記胸ベルトは、
前記左肩ベルトの前記前下部に固定される左胸ベルトと、
前記右肩ベルトの前記前下部に固定される右胸ベルトと、
前記左胸ベルトと前記右胸ベルトと、を係止する係止部材と、を有する、作業機用支持ベルト。
【請求項１６】
請求項１４又は１５に記載の作業機用支持ベルトであって、
前記胸ベルトは、第４長さ調整機構をさらに有する、作業機用支持ベルト。
【請求項１７】
請求項１〜１６のいずれか１項に記載の作業機用支持ベルトであって、
前記前支持バンド及び前記後支持バンドは、１本のバンド部材から構成される、作業機用支持ベルト。
【発明の詳細な説明】
【技術分野】
【０００１】
本発明は、作業機用支持ベルトに関する。
【背景技術】
【０００２】
刈払い機など作業機を使用者の上半身で支持するための作業機用支持ベルトとして、背板と、これに固定されかつ自由前端部を有する肩ベルトと、背板より左右一方の脇下を経て前方へ延びかつその前端部がほぼ使用者の胸郭の下側範囲に終っている側部ベルトと、作業機械が当接する支持板と、側部ベルトの下方に設けられた骨盤ベルトと、を備え、支持板が支持バンドを介して背板と側部ベルトとに結合されるとともに、肩ベルトの自由前端部が、骨盤ベルトおよび側部ベルトのそれぞれの前端部より離れて位置しているものが知られている（特許文献１）。【０００３】
特許文献１の作業機用支持ベルトによれば、肩ベルトの自由前端部が骨盤ベルトおよび側部ベルトのそれぞれの前端部より離れて位置しているため、使用者の胸部に荷重が掛かり難い。そのため、作業機を使用する際に、使用者の胸部及び腹部の圧迫感又は食い込みによる不快感の発生を抑え、より快適に作業することができる。
【先行技術文献】
【特許文献】
【０００４】
【特許文献１】日本国特開平１０−９８９３０号公報
【発明の概要】
【発明が解決しようとする課題】
【０００５】
しかしながら、特許文献１の作業機用支持ベルトは、作業機の荷重を使用者の上半身に分散させて作業者の負荷を軽減する上で改善の余地があった。【０００６】
本発明は、作業者の負荷を軽減できる作業機用支持ベルトを提供する。
【課題を解決するための手段】
【０００７】
本発明の作業機用支持ベルトは、
背板部と、
該背板部の上部から上方に延びて前方に回り込む左肩ベルト及び右肩ベルトと、
該背板部の下部から両側方に延びる腰ベルトと、
前記左肩ベルトの前下部と前記腰ベルトの左後部とを接続する左サスペンダーバンドと、
前記右肩ベルトの前下部と前記腰ベルトの右後部とを接続する右サスペンダーバンドと、
前記背板部の上部から左下方に延びて前方に回り込み、前記腰ベルトの左端部と連結される左側部ベルトと、
前記背板部の上部から右下方に延びて前方に回り込み、前記腰ベルトの右端部と連結される右側部ベルトと、
連結された前記腰ベルトの前記左端部及び前記左側部ベルトと、連結された前記腰ベルトの前記右端部及び前記右側部ベルトと、を係止する係止部材と、
前記腰ベルトの前記右後部に後支持バンドを介して支持されるとともに、連結された前記腰ベルトの前記右端部及び前記右側部ベルトに前支持バンドを介して支持され、作業機を支持する支持部材が設けられたパッド部材と、を備える。
【発明の効果】
【０００８】
本発明の作業機用支持ベルトによれば、従来よりも効果的に作業機の荷重を上半身に分散させることができる。また、作業者の腰回り全体に作業機の荷重を分散させることができるため、腰部へ作用する荷重の偏りが小さくなり、作業者の身体への局所的な荷重による疲労を軽減することができる。
【図面の簡単な説明】
【０００９】
【図１】本発明の一実施形態の作業機用支持ベルトの着用状態を示す斜視図である。
【図２】本発明の一実施形態の作業機用支持ベルトの着用状態を示す正面図である。
【図３】本発明の一実施形態の作業機用支持ベルトの背面図である。
【図４】図３に示す作業機用支持ベルトのパッド部材、前支持バンド及び後支持バンドを示す図である。
【図５】図４のＡ−Ａ断面図である。
【図６】図４に示すパッド部材の裏面図である。
【図７】本発明の変形例の作業機用支持ベルトの背面図である。
【発明を実施するための形態】
【００１０】
以下、本発明の一実施形態を添付図面に基づいて説明する。
【００１１】
［作業機用支持ベルトの全体構成］
図１〜図３に示すように、一実施形態の作業機用支持ベルト１は、背板部２と、背板部２の上部から上方に延びて作業者Ｐの前方に回り込む左肩ベルト３及び右肩ベルト４と、背板部２の下部から両側方に延びる腰ベルト５と、左肩ベルト３の前下部３ａと腰ベルト５の左後部５ａとを接続する左サスペンダーバンド６と、右肩ベルト４の前下部４ａと腰ベルト５の右後部５ｂとを接続する右サスペンダーバンド７と、背板部２の上部から左下方に延びて作業者Ｐの前方に回り込み、腰ベルト５の左端部５Ｌと連結される左側部ベルト８と、背板部２の上部から右下方に延びて作業者Ｐの前方に回り込み、腰ベルト５の右端部５Ｒと連結される右側部ベルト９と、連結された腰ベルト５の左端部５Ｌ及び左側部ベルト８と連結された腰ベルト５の右端部５Ｒ及び右側部ベルト９とを係止する係止部材１０と、腰ベルト５の右後部５ｂに後支持バンド１３を介して支持されるとともに、連結された腰ベルト５の右端部５Ｒ及び右側部ベルト９に前支持バンド１４を介して支持され、作業機（不図示）を支持するフック１５が設けられたパッド部材１６と、を備える。背板部２、左肩ベルト３、右肩ベルト４、腰ベルト５、左側部ベルト８、及び右側部ベルト９は、クッション材（不図示）を有する。
【００１２】
上記構成によれば、背板部２、左肩ベルト３及び左サスペンダーバンド６、右肩ベルト４及び右サスペンダーバンド７、左側部ベルト８、右側部ベルト９、及び腰ベルト５により、作業機の荷重を作業者Ｐの上半身に分散させることができる。また、作業機用支持ベルト１に、左側部ベルト８及び右側部ベルト９を設け、且つ、連結された腰ベルト５の左端部５Ｌ及び左側部ベルト８と連結された腰ベルト５の右端部５Ｒ及び右側部ベルト９とを係止部材１０で係止することで、作業者Ｐの腰回り全体に作業機の荷重を分散させることができるため、腰部へ作用する荷重の偏りが小さくなり、作業者の身体への局所的な荷重による疲労を軽減することができる。また、背板部２、左肩ベルト３、右肩ベルト４、腰ベルト５、左側部ベルト８、及び右側部ベルト９がクッション材を有するので、作業者Ｐの負荷をより軽減することができる。
【００１３】
左肩ベルト３及び右肩ベルト４は、背板部２と一体に形成され略Ｙ字状のベルト本体２０を構成する。ベルト本体２０の下端部２０ｂは、腰ベルト５の中央部５ｃに接続されている。背板部２及び腰ベルト５には、内部に硬質樹脂部材からなる補強部材２ａ、５ｄが設けられている。この構成によれば、背板部２及び腰ベルト５に適度な弾性及び剛性を付与することができる。また、補強部材に硬質樹脂部材を使用することで、補強部材に金属を使用した場合に比べて軽量且つ低コストで作業機用支持ベルト１を製作することができる。
【００１４】
腰ベルト５の係止部材１０は、サイドリリース型のワンタッチバックルであり、左係止部としての雌部材１１と右係止部としての雄部材１２とで構成される。すなわち、係止部材１０は、雌部材１１に雄部材１２を差し込むことにより、雄部材１２の一対の係止片が雌部材１１の一対の係止凹部に係止され、且つ、一対の係止片を指で押し込むことにより一対の係止凹部から離脱するよう構成されている。
【００１５】
また、この作業機用支持ベルト１は、背板部２と腰ベルト５の右後部５ｂとを連結する補強バンド２３を備えている。補強バンド２３は、背板部２と右側部ベルト９との接続部と、背板部２と腰ベルト５との接続部との間で、背板部２に接続されており、補強バンド２３と後支持バンド１３とが略一直線上に配置されている。このように、背板部２と腰ベルト５の右後部５ｂとを連結する補強バンド２３が、後支持バンド１３に対し略一直線上に配置されているので、後支持バンド１３に掛かる作業機の荷重を補強バンド２３で適切に受けることができる。
【００１６】
腰ベルト５の左端部５Ｌと左側部ベルト８とは、左連結バンド１７を介して連結されている。腰ベルト５の右端部５Ｒと右側部ベルト９とは、右連結バンド１８を介して連結されている。左連結バンド１７には、係止部材１０の雌部材１１が設けられ、右連結バンド１８には、第１長さ調整機構１９を介して前支持バンド１４が連結されている。前支持バンド１４には、係止部材１０の雄部材１２が、第２長さ調整機構２１を介して連結されている。
【００１７】
また、腰ベルト５の右後部５ｂには、第３長さ調整機構２５が設けられ、第３長さ調整機構２５に後支持バンド１３が連結されている。第１長さ調整機構１９、第２長さ調整機構２１及び第３長さ調整機構２５は、例えばラダーロックである。このように、右連結バンド１８には第１長さ調整機構１９を介して前支持バンド１４が連結されているため、前支持バンド１４の長さを調整することで、作業機用支持ベルト１の腰回りの長さを調整することができる。
【００１８】
また、前支持バンド１４における第２長さ調整機構２１とパッド部材１６との間の距離及び後支持バンド１３における第３長さ調整機構２５とパッド部材１６との間の距離を変更することで、フック１５の位置を自由に調整することができる。即ち、前支持バンド１４における第２長さ調整機構２１とパッド部材１６との間の距離及び後支持バンド１３における第３長さ調整機構２５とパッド部材１６との間の距離を共に長くすることで、フック１５の位置を下げることができ、前支持バンド１４における第２長さ調整機構２１とパッド部材１６との間の距離及び後支持バンド１３における第３長さ調整機構２５とパッド部材１６との間の距離を共に短くすることで、フック１５の位置を上げることができる。さらに、前支持バンド１４における第２長さ調整機構２１とパッド部材１６との間の距離を短くし、且つ、後支持バンド１３における第３長さ調整機構２５とパッド部材１６との間の距離を長くすることで、フック１５を前側に移動させることができ、前支持バンド１４における第２長さ調整機構２１とパッド部材１６との間の距離を長くし、且つ、後支持バンド１３における第３長さ調整機構２５とパッド部材１６との間の距離を短くすることで、フック１５を後側に移動させることができる。また、第１長さ調整機構１９、第２長さ調整機構２１及び第３長さ調整機構２５を汎用性の高いラダーロックとすることで、製造コストを削減できる。
【００１９】
左肩ベルト３及び右肩ベルト４の前下部３ａ、４ａには、それぞれ長さ調整機構２６、２７が設けられている。左サスペンダーバンド６は、長さ調整機構２６を介して左肩ベルト３の前下部３ａに連結され、右サスペンダーバンド７は、長さ調整機構２７を介して右肩ベルト４の前下部４ａに連結されている。この構成によれば、左肩ベルト３の長さ調整機構２６を利用して左サスペンダーバンド６の長さを調整するとともに、右肩ベルト４の長さ調整機構２７を利用して右サスペンダーバンド７の長さを調整することで、腰ベルト５の位置を作業者Ｐにあわせて調整することができる。なお、長さ調整機構２６、２７は、例えばラダーロックである。
【００２０】
左サスペンダーバンド６は、基端部６ａが腰ベルト５の左後部５ａに縫合され、先端部６ｂ側が長さ調整機構２６を経由して左肩ベルト３の前下部３ａから延びている。右サスペンダーバンド７は、基端部７ａが腰ベルト５の右後部５ｂに縫合され、先端部７ｂ側が長さ調整機構２７を経由して右肩ベルト４の前下部４ａから延びている。腰ベルト５の右後部５ｂには、右サスペンダーバンド７、後支持バンド１３及び補強バンド２３が集約して縫合され、縫製作業等の容易化が図られている。
【００２１】
左側部ベルト８には、左サスペンダーバンド６が挿通される左通し孔８ａが設けられ、右側部ベルト９には、右サスペンダーバンド７が挿通される右通し孔９ａが設けられている。左通し孔８ａは、左側部ベルト８にバンド部材２４の両端部を縫合することにより形成されている。右通し孔９ａは、右連結バンド１８の一端部１８ａ及び中間部１８ｃを右側部ベルト９に縫合することにより形成されている。このように、左側部ベルト８に設けられた左通し孔８ａに左サスペンダーバンド６を挿通するとともに、右側部ベルト９に設けられた右通し孔９ａに右サスペンダーバンド７を挿通することで、所望の位置に左サスペンダーバンド６及び右サスペンダーバンド７を誘導することができるので、作業機用支持ベルト１の一体性が向上し、作業機の荷重を作業者Ｐの上半身に適切に分散させることができる。また、右サスペンダーバンド７が挿通される右側部ベルト９の右通し孔９ａが、右連結バンド１８の一部によって構成されているので、部品点数を削減できる。
【００２２】
前支持バンド１４は、基端部１４ａがパッド部材１６に縫合して連結されており、先端部１４ｂ側は第２長さ調整機構２１及び第１長さ調整機構１９を経由して延びている。自由端となる前支持バンド１４の先端部１４ｂには、クリップ２２が設けられている。このように、前支持バンド１４の先端部１４ｂにはクリップ２２が設けられているので、クリップ２２を右側部ベルト９等に挟むことで、前支持バンド１４のばたつきを防止できる。
【００２３】
左サスペンダーバンド６及び右サスペンダーバンド７の先端部６ｂ、７ｂには、それぞれクリップ２８が設けられている。この構成によれば、各クリップ２８を左サスペンダーバンド６及び右サスペンダーバンド７等に挟むことで、左サスペンダーバンド６及び右サスペンダーバンド７のばたつきを防止できる。
【００２４】
また、この作業機用支持ベルト１は、背板部２の上方に、左肩ベルト３と右肩ベルト４とを連結するループバンド２９を備えている。この構成によれば、不使用時にループバンド２９を利用して、作業機用支持ベルト１を引っ掛けておくことができる。
【００２５】
また、この作業機用支持ベルト１は、図７に示す変形例のように、左肩ベルト３の前下部３ａと右肩ベルト４の前下部４ａとを連結する胸ベルト３０を備えていてもよい。胸ベルト３０は、左肩ベルト３の前下部３ａに固定される左胸ベルト３１と、右肩ベルト４の前下部４ａに固定される右胸ベルト３２と、左胸ベルト３１と右胸ベルト３２と、を係止する係止部材３３と、を有する。胸ベルト３０は、第４長さ調整機構３６を有している。この構成によれば、左肩ベルト３と右肩ベルト４とを胸ベルト３０で連結することで、作業機用支持ベルト１の一体性が向上する。また、左胸ベルト３１と右胸ベルト３２とを係止部材３３で係止することで、作業機用支持ベルト１の着脱作業を容易にできる。また、胸ベルト３０が第４長さ調整機構３６を有するので、左肩ベルト３及び右肩ベルト４を作業者Ｐにフィットさせることができる。
【００２６】
［パッド部材及びその支持構造］
図４に示すように、前支持バンド１４の基端部１４ａは、パッド部材１６の前部１６ｆの上端部に縫合されるともに、パッド部材１６の中央部１６ｃで縫合されている。後支持バンド１３の基端部１３ａは、パッド部材１６の後部１６ｒの上端部に縫合されるともに、パッド部材１６の中央部１６ｃで縫合されている。このように、前支持バンド１４の基端部１４ａと後支持バンド１３の基端部１３ａとをパッド部材１６の中央部１６ｃで縫合することで、縫製作業を容易にできる。
【００２７】
ここで、前支持バンド１４及び後支持バンド１３は、それぞれ別体で構成されてもよく、１本のバンド部材で構成されてもよい。前支持バンド１４及び後支持バンド１３を１本のバンド部材で構成する場合、バンド部材は、パッド部材１６の中央部１６ｃで折り返される。前支持バンド１４及び後支持バンド１３を１本のバンド部材で構成することにより、部品点数を削減できる。
【００２８】
図５に示すように、パッド部材１６は、作業機側に配置されるプレート部４１と、作業者Ｐ側に配置され、プレート部４１よりも柔らかいクッション部４２とを備え、プレート部４１の外面に、固定金具４３を介してフック１５が取り付けられている。このように、パッド部材１６は、作業機側に位置する硬質のプレート部４１と、作業者Ｐ側に位置する軟質のクッション部４２とを有するので、プレート部４１で作業機の荷重や振動を受けるとともに、クッション部４２で作業者Ｐの大腿部を保護することができる。即ち、クッション部４２は、クッション材から構成され、作業機の荷重や振動を低減しながら大腿部の形状に沿って変形するため、作業者Ｐの負荷を軽減することができる。
【００２９】
クッション部４２は、軟質クッション部４４と、軟質クッション部４４よりも硬い硬質クッション部４５と、を備え、軟質クッション部４４が、プレート部４１と硬質クッション部４５との間に配置されている。そして、硬質クッション部４５及びプレート部４１の周縁部が複数箇所縫合されることにより、クッション部４２とプレート部４１とが一体化している。プレート部４１は、樹脂から構成され、軟質クッション部４４及び硬質クッション部４５は、スポンジから構成される。このように、クッション部４２を軟質クッション部４４及び硬質クッション部４５の２層構造としたことで、軟質クッション部４４が作業機の振動を吸収するとともに、硬質クッション部４５が作業機への追随性を向上させることができる。そして、相反する特性である振動吸収性能と追随性との両方を満たすことができる。また、プレート部４１を樹脂から構成し、軟質クッション部４４及び硬質クッション部４５をスポンジから構成することで、軽量化及び低コストを実現できる。
【００３０】
クッション部４２は、軟質クッション部４４の外表面を覆う第１被覆部材４６と、硬質クッション部４５の外表面を覆う第２被覆部材４７と、を備えている。この構成により、軟質クッション部４４及び硬質クッション部４５の劣化が抑制される。
【００３１】
また、クッション部４２は、硬質クッション部４５、第１被覆部材４６、及び第２被覆部材４７の外縁部を挟み込む断面略Ｕ字形状の第３被覆部材４８を備えており、硬質クッション部４５、第１被覆部材４６、第２被覆部材４７、及び第３被覆部材４８が全周に亘って縫い合わされている。このように、硬質クッション部４５、第１被覆部材４６、及び第２被覆部材４７の外縁部を第３被覆部材４８で挟み込んで全周を縫い合わせることで、硬質クッション部４５の端部の強度を上げることができ、パッド部材１６の耐久性を向上できる。
【００３２】
図６に示すように、硬質クッション部４５及びプレート部４１の縫合部４９は、硬質クッション部４５、第１被覆部材４６、第２被覆部材４７、及び第３被覆部材４８の縫合部５０と、略同じ位置にある。このように、両縫合部４９、５０の位置を同じにすることで、縫合部４９、５０が形成されることによるパッド部材１６の意匠性の悪化を抑制できる。
【００３３】
図４及び図６に示すように、硬質クッション部４５及びプレート部４１の縫合部４９は、パッド部材１６の上部及び下部に二箇所ずつ設けられている。このように、作業機と接触するパッド部材１６の中央部１６ｃを避けて、パッド部材１６の周縁部のみに縫合部４９を配置することで、作業機との接触による縫合部４９の劣化を抑制できる。即ち、フック１５の位置との関係において作業機が縫合部４９に接触する可能性が低いため、縫合部４９の劣化を抑制できる。
【００３４】
また、この例では、硬質クッション部４５及びプレート部４１の四つの縫合部４９のうち、上側の二つの縫合部４９に、前支持バンド１４及び後支持バンド１３が縫合されている。このように、プレート部４１とクッション部４２との縫合部４９に、前支持バンド１４及び後支持バンド１３が縫合されることで、前支持バンド１４及び後支持バンド１３との縫合部が形成されることによるパッド部材１６の意匠性の悪化を抑制できる。
【００３５】
［作用］
上記のように構成された作業機用支持ベルト１は、背板部２、左肩ベルト３及び左サスペンダーバンド６、右肩ベルト４及び右サスペンダーバンド７、左側部ベルト８、右側部ベルト９、及び腰ベルト５により、作業機の荷重を作業者Ｐの上半身で分散することができる。また、作業機用支持ベルト１に、左側部ベルト８に加えて右側部ベルト９を設け、且つ、連結された腰ベルト５の左端部５Ｌ及び左側部ベルト８と連結された腰ベルト５の右端部５Ｒ及び右側部ベルト９とを係止部材１０で係止することで、作業者Ｐの腰回り全体に作業機の荷重を分散させることができるため、腰部へ作用する荷重の偏りが小さくなり、作業者の身体への局所的な荷重による疲労を軽減することができる。
【００３６】
また、作業機用支持ベルト１は、前支持バンド１４に第２長さ調整機構２１が設けられ、後支持バンド１３に第３長さ調整機構２５が設けられるので、これらを適宜調整することで、フック１５の上下左右の位置を自由に調整することができる。さらに、作業機用支持ベルト１は、前支持バンド１４に第１長さ調整機構１９が設けられ、左サスペンダーバンド６及び右サスペンダーバンド７に長さ調整機構２６、２７が設けられるので、作業者Ｐの体格にあわせてこれらを調整することで、作業機用支持ベルト１のフィット感を調整できる。例えば、重負荷作業の際に、作業機用支持ベルト１をきつめにフィットさせることにより、芝払機の吊り下げ荷重や芝払い作業に伴う反力を効果的に分散できる。軽作業時においても、作業機用支持ベルト１を適度にフィットさせておくことで、作業疲労感を軽減することができる。
【００３７】
なお、作業機用支持ベルト１は、Ｕ字型ハンドルがついた両手ハンドル型の刈払機に適用してもよく、ループハンドルを片手で持ちもう一方の手で作業機の棒を握るループハンドル型の刈払機に適用してもよい。また、作業機用支持ベルト１は、刈払機の他、ブロワ、高圧洗浄機、噴霧器等の作業機に使用することができる。
【００３８】
なお、前述した実施形態は、適宜、変形、改良、等が可能である。例えば、上記実施形態では、長さ調整機構としてラダーロックを使用しているが、ラダーロック以外の機構を用いてもよい。
【００３９】
本明細書には少なくとも以下の事項が記載されている。なお、括弧内には、上記した実施形態において対応する構成要素等を示しているが、これに限定されるものではない。
【００４０】
（１）  背板部（背板部２）と、
該背板部の上部から上方に延びて前方に回り込む左肩ベルト（左肩ベルト３）及び右肩ベルト（右肩ベルト４）と、
該背板部の下部から両側方に延びる腰ベルト（腰ベルト５）と、
前記左肩ベルトの前下部（前下部３ａ）と前記腰ベルトの左後部（左後部５ａ）とを接続する左サスペンダーバンド（左サスペンダーバンド６）と、
前記右肩ベルトの前下部（前下部４ａ）と前記腰ベルトの右後部（右後部５ｂ）とを接続する右サスペンダーバンド（右サスペンダーバンド７）と、
前記背板部の上部から左下方に延びて前方に回り込み、前記腰ベルトの左端部（左端部５Ｌ）と連結される左側部ベルト（左側部ベルト８）と、
前記背板部の上部から右下方に延びて前方に回り込み、前記腰ベルトの右端部（右端部５Ｒ）と連結される右側部ベルト（右側部ベルト９）と、
連結された前記腰ベルトの前記左端部及び前記左側部ベルトと、連結された前記腰ベルトの前記右端部及び前記右側部ベルトと、を係止する係止部材（係止部材１０）と、
前記腰ベルトの前記右後部に後支持バンド（後支持バンド１３）を介して支持されるとともに、連結された前記腰ベルトの前記右端部及び前記右側部ベルトに前支持バンド（前支持バンド１４）を介して支持され、作業機を支持する支持部材（フック１５）が設けられたパッド部材（パッド部材１６）と、を備える、作業機用支持ベルト（作業機用支持ベルト１）。
【００４１】
（１）によれば、背板部、左肩ベルト及び左サスペンダーバンド、右肩ベルト及び右サスペンダーバンド、左側部ベルト、右側部ベルト、及び腰ベルトにより、作業機の荷重を上半身で分散することができる。また、作業機用支持ベルトに、左側部ベルトに加えて右側部ベルトを設け、且つ、連結された腰ベルトの左端部及び左側部ベルトと、連結された腰ベルトの右端部及び右側部ベルトとを係止部材で係止することで、従来よりも効果的に作業機の荷重を上半身に分散させることができる。また、作業者の腰回り全体に作業機の荷重を分散させることができるため、腰部へ作用する荷重の偏りが小さくなり、作業者の身体への局所的な荷重による疲労を軽減することができる。
【００４２】
（２）  （１）に記載の作業機用支持ベルトであって、
前記腰ベルトの前記左端部と前記左側部ベルトとは、左連結バンド（左連結バンド１７）を介して連結され、
前記腰ベルトの前記右端部と前記右側部ベルトとは、右連結バンド（右連結バンド１８）を介して連結され、
前記左連結バンドには、前記係止部材の左係止部（雌部材１１）が設けられ、
前記右連結バンドには、第１長さ調整機構（第１長さ調整機構１９）を介して前記前支持バンド（前支持バンド１４）が連結され、
前記前支持バンドには、前記係止部材の前記左係止部に係合する右係止部（雄部材１２）が設けられている、作業機用支持ベルト。
【００４３】
（２）によれば、右連結バンドには第１長さ調整機構を介して前支持バンドが連結されているため、前支持バンドの長さを調整することで、腰回りの長さを調整することができる。
【００４４】
（３）  （２）に記載の作業機用支持ベルトであって、
前記前支持バンドには、前記右係止部が第２長さ調整機構（第２長さ調整機構２１）を介して連結されている、作業機用支持ベルト。
【００４５】
（３）によれば、前支持バンドにおける第２長さ調整機構とパッド部材との間の距離を変更することで、支持部材の位置を調整することができる。
【００４６】
（４）  （２）又は（３）に記載の作業機用支持ベルトであって、
前記前支持バンドの先端部には、クリップ（クリップ２２）が設けられている、作業機用支持ベルト。
【００４７】
（４）によれば、前支持バンドの先端部にはクリップが設けられているので、クリップを右側部ベルト等に挟むことで、前支持バンドのばたつきを防止できる。
【００４８】
（５）  （１）〜（４）のいずれかに記載の作業機用支持ベルトであって、
前記作業機用支持ベルトは、前記背板部と前記腰ベルトの前記右後部とを連結する補強バンド（補強バンド２３）をさらに備え、
前記補強バンドと前記後支持バンドとが略一直線上に配置されている、作業機用支持ベルト。
【００４９】
（５）によれば、背板部と腰ベルトの右後部とを連結する補強バンドが、後支持バンドに対し略一直線上に配置されているので、後支持バンドに掛かる作業機の荷重を補強バンドで適切に受けることができる。
【００５０】
（６）  （１）〜（５）のいずれかに記載の作業機用支持ベルトであって、
前記背板部、前記左肩ベルト、前記右肩ベルト、前記腰ベルト、前記左側部ベルト、及び前記右側部ベルトは、クッション材を有する、作業機用支持ベルト。
【００５１】
（６）によれば、背板部、左肩ベルト、右肩ベルト、腰ベルト、左側部ベルト、及び右側部ベルトは、クッション材を有するので、作業者の負荷をより軽減することができる。
【００５２】
（７）  （１）〜（６）のいずれかに記載の作業機用支持ベルトであって、
前記左側部ベルトには、前記左サスペンダーバンドが挿通する左通し孔（左通し孔８ａ）が設けられ、
前記右側部ベルトには、前記右サスペンダーバンドが挿通する右通し孔（右通し孔９ａ）が設けられている、作業機用支持ベルト。
【００５３】
（７）によれば、左側部ベルトに設けられた左通し孔に左サスペンダーバンドを挿通させるとともに、右側部ベルトに設けられた右通し孔に右サスペンダーバンドを挿通させることで、所望の位置に左サスペンダーバンド及び右サスペンダーバンドを誘導することができ、作業機用支持ベルトの一体性が向上し、作業機の荷重を適切に分散することができる。
【００５４】
（８）  （１）〜（７）のいずれかに記載の作業機用支持ベルトであって、
前記作業機用支持ベルトは、前記背板部の上方に、前記左肩ベルトと前記右肩ベルトとを連結するループバンド（ループバンド２９）をさらに備える、作業機用支持ベルト。
【００５５】
（８）によれば、不使用時にループバンドを利用して、作業機用支持ベルトを引っ掛けておくことができる。
【００５６】
（９）  （１）〜（８）のいずれかに記載の作業機用支持ベルトであって、
前記背板部は、内部に硬質樹脂部材からなる補強部材（補強部材２ａ）を有する、作業機用支持ベルト。
【００５７】
（９）によれば、背板部の内部に硬質樹脂部材からなる補強部材を設けることで、適度な弾性及び剛性を付与することができる。また、補強部材に金属を使用した場合に比べて軽量且つ低コストで製作することができる。
【００５８】
（１０）  （２）に記載の作業機用支持ベルトであって、
前記腰ベルトの前記右後部には、第３長さ調整機構（第３長さ調整機構２５）が設けられ、
該第３長さ調整機構に前記後支持バンドが連結されている、作業機用支持ベルト。
【００５９】
（１０）によれば、腰ベルトには第３長さ調整機構を介して後支持バンドが連結されているので、第２長さ調整機構とパッド部材との距離及び第３長さ調整機構とパッド部材との距離を調整することで、支持部材の位置を自由に調整することができる。
【００６０】
（１１）  （１）〜（１０）のいずれかに記載の作業機用支持ベルトであって、
前記左肩ベルト及び前記右肩ベルトの前記前下部には、それぞれ長さ調整機構（長さ調整機構２６、２７）が設けられ、
前記左サスペンダーバンドは、前記長さ調整機構を介して前記左肩ベルトの前記前下部に連結され、
前記右サスペンダーバンドは、前記長さ調整機構を介して前記右肩ベルトの前記前下部に連結されている、作業機用支持ベルト。
【００６１】
（１１）によれば、左肩ベルトの長さ調整機構を利用して左サスペンダーバンドの長さを調整するとともに、右肩ベルトの長さ調整機構を利用して右サスペンダーバンドの長さを調整することで、腰ベルトの位置を作業者にあわせて調整することができる。
【００６２】
（１２）  （１１）に記載の作業機用支持ベルトであって、
前記左サスペンダーバンド及び前記右サスペンダーバンドの先端部（先端部６ｂ、７ｂ）には、それぞれクリップ（クリップ２８）が設けられている、作業機用支持ベルト。
【００６３】
（１２）によれば、左サスペンダーバンド及び右サスペンダーバンドの先端部にはそれぞれクリップが設けられているので、クリップを左サスペンダーバンド及び右サスペンダーバンド等に挟むことで、左サスペンダーバンド及び右サスペンダーバンドのばたつきを防止できる。
【００６４】
（１３）  （２）〜（４）のいずれかに記載の作業機用支持ベルトであって、
前記左側部ベルトには、前記左サスペンダーバンドが挿通する左通し孔（左通し孔８ａ）が設けられ、
前記右側部ベルトには、前記右サスペンダーバンドが挿通する右通し孔（右通し孔９ａ）が設けられ、
前記左通し孔は、前記左側部ベルトに設けられたバンド部材（バンド部材２４）によって構成され、
前記右通し孔は、前記右連結バンドによって構成されている、作業機用支持ベルト。
【００６５】
（１３）によれば、右サスペンダーバンドが挿通する右側部ベルトの右通し孔が、右連結バンドによって構成されているので、部品点数を削減できる。
【００６６】
（１４）  （１）〜（１３）のいずれかに記載の作業機用支持ベルトであって、
前記作業機用支持ベルトは、前記左肩ベルトの前記前下部と前記右肩ベルトの前記前下部とを連結する胸ベルト（胸ベルト３０）をさらに備える、作業機用支持ベルト。
【００６７】
（１４）によれば、左肩ベルトと右肩ベルトとを胸ベルトで連結することで、作業機用支持ベルトの一体性が向上する。
【００６８】
（１５）  （１４）に記載の作業機用支持ベルトであって、
前記胸ベルトは、
前記左肩ベルトの前記前下部に固定される左胸ベルト（左胸ベルト３１）と、
前記右肩ベルトの前記前下部に固定される右胸ベルト（右胸ベルト３２）と、
前記左胸ベルトと前記右胸ベルトと、を係止する係止部材（係止部材３３）と、を有する、作業機用支持ベルト。
【００６９】
（１５）によれば、左胸ベルトと右胸ベルトとを係止部材で係止することで、作業機用支持ベルトの着脱作業を容易にできる。
【００７０】
（１６）  （１４）又は（１５）に記載の作業機用支持ベルトであって、
前記胸ベルトは、第４長さ調整機構（第４長さ調整機構３６）をさらに有する、作業機用支持ベルト。
【００７１】
（１６）によれば、胸ベルトが第４長さ調整機構を有するので、左肩ベルト及び右肩ベルトを作業者によりフィットさせることができる。
【００７２】
（１７）  （１）〜（１６）のいずれかに記載の作業機用支持ベルトであって、
前記前支持バンド及び前記後支持バンドは、１本のバンド部材から構成される、作業機用支持ベルト。
【００７３】
（１７）によれば、前支持バンド及び後支持バンドが１本のバンド部材から構成されるので、部品点数を削減できる。
【符号の説明】
【００７４】
１  作業機用支持ベルト
２  背板部
３  左肩ベルト
３ａ  前下部
４  右肩ベルト
４ａ  前下部
５  腰ベルト
５ａ  左後部
５ｂ  右後部
５Ｌ  左端部
５Ｒ  右端部
６  左サスペンダーバンド
６ｂ  先端部
７  右サスペンダーバンド
７ｂ  先端部
８  左側部ベルト
８ａ  左通し孔
９  右側部ベルト
９ａ  右通し孔
１０  係止部材
１１  雌部材（左係止部）
１２  雄部材（右係止部）
１３  後支持バンド
１４  前支持バンド
１５  フック（支持部材）
１６  パッド部材
１７  左連結バンド
１８  右連結バンド
１９  第１長さ調整機構
２１  第２長さ調整機構
２２  クリップ
２３  補強バンド
２４  バンド部材
２５  第３長さ調整機構
２６  長さ調整機構
２７  長さ調整機構
２８  クリップ
２９  ループバンド
３０  胸ベルト
３１  左胸ベルト
３２  右胸ベルト
３３  係止部材
３６  第４長さ調整機構
【要約】
作業機用支持ベルト（１）は、背板部（２）と、左肩ベルト（３）及び右肩ベルト（４）と、腰ベルト（５）と、左肩ベルト（３）の前下部（３ａ）と腰ベルトの左後部（５ａ）とを接続する左サスペンダーバンド（６）と、右肩ベルト（４）の前下部（４ａ）と腰ベルトの右後部（５ｂ）とを接続する右サスペンダーバンド（７）と、背板部（２）から左下方に延びて前方に回り込み、腰ベルト（５）の左端部（５Ｌ）と連結される左側部ベルト（８）と、背板部（２）の上部から右下方に延びて前方に回り込み、腰ベルト（５）の右端部（５Ｒ）と連結される右側部ベルト（９）と、腰ベルト（５）の左端部（５Ｌ）と右端部（５Ｒ）とを係止する係止部材（１０）と、後支持バンド（１３）及び前支持バンド（１４）を介して支持され、作業機を支持するフック（１５）が設けられたパッド部材（１６）と、を備える。【図１】
0006757859.tif 000002
【図２】
0006757859.tif 000003
【図３】
0006757859.tif 000004
【図４】
0006757859.tif 000005
【図５】
0006757859.tif 000006
【図６】
0006757859.tif 000007
【図７】
0006757859.tif 000008